(57)【要約】【課題】第１のシート処理を実行中に第１の処理と干渉する第２のシート処理の実行が要求された場合に、シート処理の効率を向上させることができるシート処理装置を提供する。【解決手段】シート処理装置は、搬送されるシートに対して行う第１処理と、載置されるシートに対して行う、前記第１処理を行うための動作と干渉する第２処理とが可能な処理手段と、前記処理手段が第２処理の実行中に前記第１処理の要求を受けた場合に、前記第２処理が終了する前に搬送を開始し、前記第２処理が終了した後に前記第１処理が行われる位置に搬送されるように前記第１処理が要求されたシートの搬送が制御されるようにするための指示手段と、を備えている。【選択図】図８
2018027828.tif 000002
【特許請求の範囲】
【請求項１】
搬送されるシートに対して行う第１処理と、載置されるシートに対して行う、前記第１処理を行うための動作と干渉する第２処理とが可能な処理手段と、
前記処理手段が前記第２処理の実行中に前記第１処理の要求を受けた場合に、前記第２処理が終了する前に搬送を開始し、前記第２処理が終了した後に前記第１処理が行われる位置に搬送されるように前記第１処理が要求されたシートの搬送が制御されるようにするための指示手段と、
を備えていることを特徴とするシート処理装置。
【請求項２】
前記指示手段は、前記処理手段が前記第２処理の実行中に前記第１処理の要求を受けた場合に前記第２処理が終了するまでの時間を前記第１処理が要求されたシートの搬送を制御する搬送制御手段に指示することを特徴とする請求項１に記載のシート処理装置。
【請求項３】
前記搬送制御手段は、前記指示手段からの指示に基づいて前記第１処理が要求されたシートの搬送開始タイミングを制御することを特徴とする請求項２に記載のシート処理装置。
【請求項４】
前記搬送制御手段は、前記指示手段からの指示に基づいて搬送された、前記第１処理が要求されたシートが、前記第２処理が終了した後に前記第１処理が行われる位置に搬送されるように待機させることを特徴とする請求項２に記載のシート処理装置。
【請求項５】
前記搬送制御手段は、前記指示手段からの指示に基づいて、前記第１処理が行われる位置に前記第１処理が要求されたシートが搬送されるまでの時間が、前記第２処理が終了するまでの時間よりも長くなるまで、前記第１処理が要求されたシートの搬送開始を待機させることを特徴とする請求項３に記載のシート処理装置。
【請求項６】
前記第２処理が終了するまでの時間は、
実行中の前記第２処理が完了するまでの時間と、実行中の前記第２処理の完了後、前記第１処理を行うために前記処理手段が行う準備処理が完了するまでの時間との和に基づき算出されることを特徴とする請求項１から５のいずれか１項に記載のシート処理装置。
【請求項７】
実行中の前記第２処理が完了するまでの第１時間と前記処理手段が行う準備処理にかかる第２時間の和から、前記第１処理が要求されたシートが前記第１処理が行われる位置に搬送されるまでの第３時間を引いた時間を、前記第１処理が行われるまでの待機時間として通知する通知手段を有することを特徴とする請求項１から６のいずれか１項に記載のシート処理装置。
【請求項８】
前記第１および第２処理はシートを綴じる処理であることを特徴とする請求項１から７のいずれか１項に記載のシート処理装置。
【請求項９】
搬送されるシートに対して行う第１処理と、載置されるシートに対して行う、前記第１処理を行うための動作と干渉する第２処理とが可能な処理手段を有するシート処理装置の制御方法であって、
前記処理手段が前記第２処理を実行中に前記第１処理の要求を受けた場合に、前記第２処理が終了する前に搬送を開始し、前記第２処理が終了した後に前記第１処理が行われる位置に搬送されるように前記第１処理が要求されたシートの搬送が制御されるように指示する、
ことを特徴とする制御方法。
【発明の詳細な説明】
【技術分野】
【０００１】
本発明は、シート処理装置及びシート処理装置の制御方法に関する。
【背景技術】
【０００２】
複写機やプリンタ等の画像形成装置では、画像を形成したシートに対する後処理を行うシート処理装置が広く用いられている。ここで後処理の１つとして、シートを綴じる綴じ処理（ステイプル処理）がある。また、この様なシート処理装置には、オートステイプル処理と、マニュアルステイプル処理の２つの綴じ処理を実行可能なものがある。オートステイプル処理とは、画像形成装置において画像をシートに形成し、その後、画像形成装置からシート処理装置に搬送されたシートに対して行う綴じ処理である。一方、マニュアルステイプル処理とは、ユーザがシート束をシート処理装置の所定位置、例えば、専用の用紙挿入位置にセットし、マニュアル操作でシートを綴じる処理である。１つのステイプラをオートステイプル処理とマニュアルステイプル処理で共用することでシート処理装置の小型化が図れる。この様な、１つのステイプラをオートステイプル処理とマニュアルステイプル処理で共用するシート処理装置では、２つの処理の干渉を防ぐため、オートステイプル処理とマニュアルステイプル処理を排他的に動作させる場合がある。
【０００３】
更に、マニュアルステイプル処理の処理トレイと、シートの排出経路が干渉する場合はマニュアルステイプル処理と綴じ処理を行わない画像形成処理を排他的に動作させる必要がある。特許文献１は、複数の搬送路を設け、綴じ処理を行わないシートの搬送経路をステイプラの処理トレイと干渉しないように設けることで、綴じ処理を行わない画像形成と、マニュアルステイプル処理を平行して実行できる構成を開示している。
【先行技術文献】
【特許文献】
【０００４】
【特許文献１】特開２００６−２６４９７８号公報
【発明の概要】
【発明が解決しようとする課題】
【０００５】
特許文献１の構成では、マニュアルステイプル処理と綴じ処理を行わない画像形成は並行で行うことができるが、マニュアルステイプル処理とオートステイプル処理を実行するステイプラは共用している。したがって、マニュアルステイプル処理を実行中にオートステイプル処理の要求が画像形成装置から行われても、実行中のマニュアルステイプル処理が終了するまでオートステイプル処理を行うシートへの画像形成を許可することができない。そのため、シート処理装置にシートが到達するのが遅くなり、オートステイプル処理の効率が低下してしまう。
【０００６】
本発明は、第１のシート処理を実行中に第１のシート処理と干渉する第２のシート処理の実行が要求された場合のシート処理の効率を向上させることができるシート処理装置を提供するものである。
【課題を解決するための手段】
【０００７】
本発明の一側面によると、シート処理装置は、搬送されるシートに対して行う第１処理と、載置されるシートに対して行う、前記第１処理を行うための動作と干渉する第２処理とが可能な処理手段と、前記処理手段が前記第２処理の実行中に前記第１処理の要求を受けた場合に、前記第２処理が終了する前に搬送を開始し、前記第２処理が終了した後に前記第１処理が行われる位置に搬送されるように前記第１処理が要求されたシートの搬送が制御されるようにするための指示手段と、を備えていることを特徴とする。
【発明の効果】
【０００８】
本発明によると、第１のシート処理を実行中に、第１のシート処理と干渉する第２のシート処理の実行が要求された場合のシート処理の効率を向上させることができる。
【図面の簡単な説明】
【０００９】
【図１】一実施形態による画像形成システムの構成図。
【図２】一実施形態によるシート処理装置の構成図。
【図３】一実施形態によるシート処理装置の側面図。
【図４】一実施形態による画像形成システムの制御構成を示す図。
【図５】一実施形態によるステイプラの待機位置の説明図。
【図６】一実施形態によるオートステイプル処理のフローチャート。
【図７】一実施形態によるマニュアルステイプル処理のフローチャート。
【図８】一実施形態によるシート処理装置における制御についてのフローチャート。
【発明を実施するための形態】
【００１０】
以下、本発明の例示的な実施形態について図面を参照して説明する。なお、以下の実施形態は例示であり、本発明を実施形態の内容に限定するものではない。また、以下の各図においては、実施形態の説明に必要ではない構成要素については図から省略する。
【００１１】
図１は、本実施形態による画像形成システムの構成図である。画像形成システムは、シート処理装置１１９と、画像形成装置１００とを含む。画像形成装置１００の原稿設置部１０３にセットされた原稿Ｄは、自動原稿給送装置（ＡＤＦ）１０２の給送部１０４により１枚ずつ順次分離され、レジストローラ対１０５に供給される。その後、原稿Ｄは、導入パス１０６を介して読取位置１０７に送られ、読取位置１０７において、原稿Ｄ表面の画像が読み取られる。読取位置１０７を通過した原稿Ｄは、排出パス１０８を通過して、排紙ローラ対１１０により排出トレイ１０９上に排出される。なお、原稿Ｄの両面の画像を読み取る場合、原稿Ｄが排紙ローラ対１１０にニップされた後、排紙ローラ対１１０を逆回転させて原稿Ｄを再度レジストローラ対１０５に向けて搬送する。
【００１２】
続いて、読取位置１０７における画像の読み取りについて説明する。光源１１１は、読取位置１０７の原稿Ｄに光を照射する。原稿Ｄからの反射光は、複数のミラー１１２を介してレンズ１１３に導かれ、レンズ１１３は、ＣＣＤ等の受光素子１２１に原稿Ｄの画像を投影する。受光素子１２１は、原稿Ｄを横断する線画像を読み取って画像データに変換する。
【００１３】
画像形成装置１００は、この画像データに基づき生成した光により、その表面が所定電位に帯電された感光体１１４を露光し、感光体１１４に静電潜像を形成する。そして、図示しない現像部は、この静電潜像をトナーで現像してトナー像として可視化する。このトナー像の形成動作と並行して、カセット１１５に積載されたシートＰが、レジストローラ１５０に向けて搬送される。レジストローラ１５０は、感光体１１４に形成されたトナー像が転写部１１６の対向位置に到達するタイミングに合わせてシートＰを感光体１１４と転写部１１６との間に送り込む。転写部１１６は、感光体１１４のトナー像をシートＰに転写する。トナー像が転写されたシートＰは、定着部１１７に搬送される。定着部１１７は、シートＰを加熱加圧してトナー像をシートＰに定着させる。その後、シートＰは、排出ローラ１２０によってシート処理装置１１９に送り込まれる。なお、搬送路１１８は、シートＰの両面に画像を形成するために設けられている。制御部２０１は、画像形成装置１００全体の制御を行う。また、シート処理装置１１９の制御部９００は、制御部２０１の下、シート処理装置１１９の制御を行う。
【００１４】
図２は、本実施形態によるシート処理装置１１９の構成図である。画像が形成されたシートＰは、入口ローラ対５０２によりシート処理装置１１９に取り込まれる。フラッパ５５１は、シートＰの搬送先を処理部５００と折り装置４００との何れかに切り替える。折り装置４００は、シートＰを重ねて中綴じ／束折りする製本処理を行うが、本発明には関係ないためその詳細な説明は省略する。制御部９００は、ノンソート及びソートモードの際には、フラッパ５５１を下方へ回動させてソートパス５５２にシートＰを振り分ける。
【００１５】
ノンソートモードの場合、ソートパス５５２に導かれたシートＰは、正逆転可能な排紙搬送ローラ対５６０の正転により、そのまま排紙口３６からスタックトレイ１８ａ又は１８ｂに排紙されて単純積載される。一方、ソートモードの場合、ソートパス５５２に導かれたシートＰは、排紙搬送ローラ対５６０の所定量の正転の後の逆転により引き戻され、処理トレイ（中間トレイ）６３０に積載される。処理トレイ６３０上に重ねて束状に積載されたシートは、必要に応じて排紙搬送ローラ対５６０を当接／離間させて、側面および後端の整合処理、ステイプラ（綴じ部）６０１による針綴じ処理等の後処理が施される。その後、排紙搬送ローラ対５６０が、このシート束を排紙口３６からスタックトレイ１８ａ又は１８ｂに排出する。
【００１６】
スタックトレイ１８ａ、１８ｂは、支柱３７の一部に形成されている共通のガイドレールに取り付けられ、それぞれ上下方向に自走して移動可能に構成される。スタックトレイ１８ａ、１８ｂは、内部に設置されたスタッカモータ２０９ａ、２０９ｂの正逆転駆動をピニオンギヤ２２５ａ、２２５ｂに伝えてラック部１１９Ｂに対して昇降させることで上下方向に移動する。
【００１７】
ノンソートモード、ソートモードの場合、制御部９００は、積載過程におけるスタックトレイ１８ａ、１８ｂの積載量を検知する。そして、スタックトレイ１８ａが満載になると、スタックトレイ１８ａを排紙口３６上へ移動させてスタックトレイ１８ｂへ排出先を切り替える等の制御を行って、効率的で混乱の少ない積載を可能にしている。
【００１８】
図３は、シート処理装置１１９の側面図である。シート処理装置１１９の側面には、シートＰを手動でステイプルするためのマニュアルステイプル用の挿入口７００が形成される。挿入口７００は、図中左上から右下へ傾斜する傾斜面を備える。ユーザがシートＰを手差しでステイプルする際には、挿入口７００の左上方から傾斜面に沿って右下方へとシートＰを挿入する。挿入口７００の傾斜面の右下側には、シートＰが挿入口７００に挿入されたことを検知するセンサ７１０が配置される。またシート処理装置１１９の上方には、挿入口７００に挿入されたシートＰに対してマニュアルステイプルを実行する指示を出すマニュアルステイプルスタート用のスイッチ７２０が配置される。ユーザがシートＰを挿入口７００へ挿入後、スイッチ７２０を押下することでセンサ７１０の検知情報に基づき、シートＰに対するステイプルが実行される。
【００１９】
図４は、画像形成システムの制御構成を示している。図４に示すように、画像形成装置１００の制御部２０１と、シート処理装置１１９の制御部９００は、通信線により接続され、制御部９００は、制御部２０１の制御のもと、シートン搬送制御を含む、シート処理装置１１９内の各部の制御を実行する。シート処理装置１１９のＣＰＵ９０１は、ＲＯＭ９０２からデータを読み出し、ＲＡＭ９０３に一時格納しながら、シート処理装置１１９の各部を制御する。
【００２０】
図５は、処理トレイ６３０をシート処理装置１１９の上方から見下ろした図である。図５の上下方向は、シートＰの搬送方向を示し、上方が搬送方向上流側、下方が搬送方向下流側である。なお、図３に示す側面図は、図５において右側からシート処理装置１１９を見た図である。図５（Ａ）は、処理トレイ６３０及びその右側の挿入口７００に対するステイプラ６０１の取り得る位置の幾つか示している。ステイプラ６０１は、シートＰの搬送方向と直交する方向に移動可能な様に構成されている。また、ステイプラ６０１には、複数の待機位置６０１ａ、６０１ｂ、６０１ｃが設定される。ここで、第一待機位置６０１ａ及び第二待機位置６０１ｂは、後述するオートステイプル処理での待機位置である。また、第三待機位置６０１ｃは、後述するマニュアルステイプル処理での待機位置である。
【００２１】
図５（Ｂ）は、オートステイプル処理のため、処理トレイ６３０上にシートＰが載置された様子を示している。オートステイプル処理では、処理トレイ６３０上に処理対象の複数のシートＰが束ねられるまで、ステイプラ６０１は第一待機位置６０１ａ又は第二待機位置６０１ｂで待機する。以下、図６を参照してオートステイプル処理について説明する。なお、第一待機位置６０１ａで待機するか、第二待機位置６０１ｂで待機するかは、シートＰのステイプル位置に応じて決定される。
【００２２】
ユーザが、オートステイプル処理を伴う画像形成を実行すると、Ｓ６０１でＣＰＵ９０１は、ステイプラ６０１を第一待機位置６０１ａ又は第二待機位置６０１ｂに移動させる。なお、以下では、第一待機位置６０１ａ又は第二待機位置６０１ｂを纏めて第１位置と呼ぶものとする。ＣＰＵ９０１は、Ｓ６０２で、画像形成された各シートＰを、処理トレイ６３０上に排出してシート束を作成する。その後、ＣＰＵ９０１は、Ｓ６０３で、第１位置で待機していたステイプラ６０１を移動させてシート束に対してステイプル処理を行う。ステイプル処理が終了した後、Ｓ６０４でＣＰＵ９０１は、ステイプラ６０１を図示しないホームポジションへ移動させる。
【００２３】
図５（Ｃ）は、マニュアルステイプル処理のため、ユーザが束ねたシートＰを挿入口７００に挿入した様子を示している。挿入口７００にシートＰが挿入されたことをセンサ７１０が検知した状態で、ユーザがスイッチ７２０を押下すると、ステイプラ６０１がステイプル処理を行う。
【００２４】
以下、図７を参照してマニュアルステイプル処理について説明する。ユーザが、スイッチ７２０を押下すると、ＣＰＵ９０１は、Ｓ７０１でステイプラ６０１をマニュアルステイプル処理の待機位置である第三待機位置６０１ｃへ移動させる。なお、以下では、第三待機位置６０１ｃを第２位置とも呼ぶものとする。ＣＰＵ９０１は、Ｓ７０２でセンサ７１０がシートＰを検知していると、ステイプラ６０１を移動させシートＰに対してステイプル処理を行う。
【００２５】
ステイプル処理の終了後、ＣＰＵ９０１は、Ｓ７０３で、センサ７１０がシートＰを検知しているか否かを確認する。センサ７１０がシートＰを検知していると、ＣＰＵ９０１は、Ｓ７０４で不図示のタイマによりステイプル処理後、所定時間経過しているか否かを確認する。所定時間経過していないと、ＣＰＵ９０１は、Ｓ７０３から処理を繰り返す。一方、Ｓ７０４で所定時間が経過していると、Ｓ７０５で、ＣＰＵ９０１は、ステイプラ６０１をホームポジションへ移動させて処理を終了する。
【００２６】
一方、Ｓ７０３でセンサ７１０がシートＰを検知していないと、ＣＰＵ９０１は、Ｓ７０６でセンサ７１０がシートＰを検知しているか否かを判断する。Ｓ７０６で、センサ７１０がシートＰを検知していると、次なるマニュアルステイプル処理のため、ＣＰＵ９０１は、Ｓ７０２から処理を繰り返す。一方、Ｓ７０６でセンサ７１０がシートＰを検知していないと、ＣＰＵ９０１は、Ｓ７０７で所定時間が経過しているか否かを確認する。所定時間が経過していないと、ＣＰＵ９０１は、Ｓ７０６から処理を繰り返す。所定時間が経過していると、ＣＰＵ９０１は、Ｓ７０５でステイプラ６０１をホームポジションへ移動させて処理を終了する。
【００２７】
シート処理装置１１９では、画像形成装置１００で実行された複数の印刷ジョブが制御部９００に保持され、その受け付け順にオートステイプル処理等が予約実行される。しかし、従来は、マニュアルステイプル処理の途中でオートステイプル処理を実行しようとしても、動作中のマニュアルステイプル処理モードが優先され、マニュアルステイプル処理の終了後、オートステイプル処理を実行するシートへの画像形成を開始していた。そのため、シート処理装置にシートが到達するのが遅くなり、オートステイプル処理の効率が低下していた。
【００２８】
本実施形態では、このような問題点を解決する。図８により、具体的な制御フローを説明する。本実施形態では、あるユーザがマニュアルステイプル処理中に、別のユーザがオートステイプル処理、つまり、画像形成を行って、画像形成後のシートをシート処理装置１１９に搬送して綴じ処理を行う制御を割り込ませる状況を想定している。まず、あるユーザが、Ｓ８０１で、マニュアルステイプル処理を開始する。マニュアルステイプル処理の実行中において、ＣＰＵ９０１は、Ｓ８０２で制御部２０１からのオートステイプル処理の要求があるかを判断する。オートステイプル処理の要求がないと、ＣＰＵ９０１は、Ｓ８０９でマニュアルステイプル処理が終了したかを判定し、終了していなければ、Ｓ８０２から処理を繰り返す。一方、Ｓ８０９でマニュアルステイプル処理が終了していると、ＣＰＵ９０１は、図８の処理を終了する。
【００２９】
Ｓ８０２で、オートステイプル処理の要求があると、ＣＰＵ９０１は、Ｓ８０３でマニュアルステイプル処理が完了するまでの残り時間Ｔ１を判定してＲＡＭ９０３に格納する。さらに、ＣＰＵ９０１は、Ｓ８０４で、ステイプラ６０１を第１位置に移動させるまでの移動時間Ｔ２を取得する。例えば、マニュアルステイプル処理を実行中であるので、ステイプラ６０１が第三待機位置６０１ｃにあると、第三待機位置６０１ｃから第一待機位置６０１ａ又は第二待機位置６０１ｂへ移動させるのに必要な時間を判定する。また、ステイプラ６０１が、シートＰの綴じ位置に移動していると、この綴じ位置から第一待機位置６０１ａ又は第二待機位置６０１ｂへ移動させるのに必要な時間を判定する。
【００３０】
Ｓ８０５で、ＣＰＵ９０１は、制御部２０１からのオートステイプル処理の要求内容に基づき処理対象のシートが処理トレイ６３０に到達する到達時間Ｔ３を取得する。シートの到達時間Ｔ３は、画像形成装置１００が、画像形成処理を開始してから、処理対象の総てのシートＰが処理トレイ６３０に到達するまでの時間である。当然、この到達時間Ｔ３には、画像形成装置１００による感光体１１４への画像形成、シートＰの給紙、感光体１１４に形成された画像のシートＰへの転写及び定着等の時間が含まれる。なお、処理トレイ６３０にシートＰが載るとステイプラ６０１を第１位置に移動できなくなる構成では、到達時間Ｔ３を、最初のシートＰが処理トレイ６３０に到達するまでの時間とする。
【００３１】
Ｓ８０６で、ＣＰＵ９０１は、時間Ｔ１と時間Ｔ２の和を算出して時間Ｔ３と比較する。時間Ｔ１と時間Ｔ２の和は、マニュアルステイプル処理の実行完了後、シート処理装置１１９においてオートステイプル処理が実行可能になるタイミングを示している。より詳しくは、時間Ｔ１と時間Ｔ２の和は、実行中のマニュアルステイプル処理の実行完了後、オートステイプル処理のための準備処理、つまり、ステイプラ６０１の第１位置への移動処理が完了するタイミングを示している。一方、時間Ｔ３は、シートＰが処理トレイ６３０に積載されるタイミングを示している。よって、時間Ｔ１と時間Ｔ２の和が時間Ｔ３以下であると、シートＰが処理トレイ６３０に積載される前に、マニュアルステイプル処理を完了させ、かつ、ステイプラ６０１を第１位置に移動させることができる。したがって、オートステイプル処理を遅延させる必要はない。この場合、ＣＰＵ９０１は、Ｓ８０７で、制御部２０１からのオートステイプル処理の要求に対する応答を許可する。つまり、ＣＰＵ９０１は、オートステイプル処理が実行可能であることを通知する。この場合、制御部２０１は、ユーザが要求した制御、つまり、シートに対する画像形成を開始する。
【００３２】
一方、時間Ｔ１と時間Ｔ２の和が、時間Ｔ３より大きいと、ＣＰＵ９０１は、待機時間Ｔ４を判定して制御部２０１に通知する。この待機時間Ｔ４は、時間Ｔ１と時間Ｔ２の和から時間Ｔ３を減じた値により求めることができる。なお、時間Ｔ１と時間Ｔ２の和から時間Ｔ３を減じた値に所定のマージン時間を加えることもできる。制御部２０１は、通知された待機時間Ｔ４に応じて、画像形成制御の開始を遅延させる。例えば、カセット１１５のシートＰの搬送開始タイミングを、待機時間Ｔ４だけ遅らせることができる。また、ＣＰＵ９０１は、Ｓ８０８で待機時間を通知後、待機時間が経過すると、Ｓ８０７でオートステイプル処理が実行可能であることを制御部２０１に通知する。
【００３３】
＜その他の実施形態＞
上記実施形態では、オートステイプル処理が実行可能になるタイミングに合わせてシートに対する画像形成を開始させていた。それによって、マニュアルステイプル処理が終了次第オートステイプル処理を実行することができ、シート処理の効率を向上させることができる。しかし、シート処理装置と画像形成装置との間でシートを停止させて待機させることができる構成であれば、画像形成は開始させておき、シート処理装置と画像形成装置との間でシートを待機させておくことで、マニュアルステイプル処理が終了次第オートステイプル処理を実行することができるようにすることも可能である。
【００３４】
なお、本実施形態のシート処理装置１１９は画像形成装置１００からシートを受け取って後処理を行うものであった。後処理の例としては、ステイプル処理を挙げて説明したが、マニュアルで穿孔処理や糊付け処理が可能な構成であれば、穿孔処理や糊付け処理にも適用することができる。また、シート処理装置１１９に後処理対象のシートを搬送する他の装置は、画像形成装置１００に限定されず、例えば、画像読取装置であっても良い。さらに、本実施形態のシート処理装置１１９及び画像形成装置１００の全体をシート処理装置と呼ぶこともできる。この場合、シート処理装置１１９は、オートステイプル処理においては、搬送したシートに所定の処理、例えば、画像形成処理を行って、その後処理を行うものとなる。また、本実施形態の画像形成装置は、電子写真方式の画像形成装置であった。しかしながら、インクジェット方式、熱転写方式等の画像形成装置であっても良い。なお、画像形成装置は、複写機、ＦＡＸ、複合機、プリンタ等とすることもできる。また、本実施形態では「シート」としてシート状の用紙を想定するが、布、プラスチック・フィルム等であってもよい。
【符号の説明】
【００３５】
６０１：ステイプル、９００：制御部
【図１】
2018027828.tif 000003
【図２】
2018027828.tif 000004
【図３】
2018027828.tif 000005
【図４】
2018027828.tif 000006
【図５】
2018027828.tif 000007
【図６】
2018027828.tif 000008
【図７】
2018027828.tif 000009
【図８】
2018027828.tif 000010